(57)【要約】      （修正有）【課題】スイッチ基板の前後方向に対する位置決め精度が向上した鍵盤装置を提供する。【解決手段】フレームは、リブ５６５、リブ５６６、位置決め用凸部５６１をさらに備える。リブ５６５は、ハンマアセンブリの長手方向に平行な方向に延びた板状部材であり、リブ５６６は、ハンマアセンブリの長手方向に平行な方向に延びた板状部材である。また、リブ５６５及びリブ５６６と交差する方向に延びた板状部材である壁部５４２は、リブ５６５とリブ５６６とを連結している。リブ５６５及びリブ５６６は第１方向に延びている【選択図】図６
2018180527.tif 000002
【特許請求の範囲】
【請求項１】
フレームと、
第１保持部と、
第２保持部と、
第１方向に延びた板状部材である第１リブと、を有し、
前記第１保持部及び前記第２保持部の少なくとも一方は、前記第１リブの延長線上に配置される、鍵盤装置。
【請求項２】
前記第１方向に延びた板状部材である第２リブと、
前記第１方向と交差する第２方向に延びた第１部材と、をさらに有し、
前記第１部材は、前記第１リブ及び前記第２リブを連結する、請求項１に記載の鍵盤装置。
【請求項３】
前記フレームは、前記第１部材と対向する第２部材をさらに有する、請求項２に記載の鍵盤装置。
【請求項４】
前記フレームは、前記第２部材に設けられた固定部をさらに有する、請求項３に記載の鍵盤装置。
【請求項５】
前記フレームは、前記第１部材に設けられた可撓部と、前記可撓部に接続された係止部と、をさらに有する、請求項４に記載の鍵盤装置。
【請求項６】
前記可撓部は、前記第１リブの延長上で重ならない位置に配置される、請求項５に記載の鍵盤装置。
【請求項７】
前記第１リブは、前記第１保持部及び前記第２保持部の少なくとも一方と一体化される、請求項６に記載の鍵盤装置。
【請求項８】
前記第１保持部は、前記第１リブの延長線上で、前記第２保持部と対向する、請求項７に記載の鍵盤装置。
【請求項９】
前記第１保持部は、前記第２保持部と対となり、
前記フレームは、対となる前記第１保持部及び前記第２保持部を複数有する、請求項８に記載の鍵盤装置。
【請求項１０】
前記フレームは、複数のハンマアセンブリをさらに有し、
前記第１リブは、前記複数のハンマアセンブリのうち、第１ハンマアセンブリと第２ハンマアセンブリとの間に配置される、請求項９に記載の鍵盤装置。
【請求項１１】
前記第２リブは、前記複数のハンマアセンブリのうち、第３ハンマアセンブリと第４ハンマアセンブリとの間に配置される、請求項１０に記載の鍵盤装置。
【発明の詳細な説明】
【技術分野】
【０００１】
本発明は、鍵盤装置に関する。
【背景技術】
【０００２】
一般に、電子楽器は、押し込み操作される操作子装置（例えば、発音する音高を指定する鍵、音色を選択する押しボタンなど）を備えている。鍵スイッチは、ゴムスイッチと、その下側に配置されたスイッチ基板と、を備えている。また、ゴムスイッチは、鍵ごとに設けられており、それぞれ可動接点を有している。また、スイッチ基板には、鍵ごとにセンサが設けられている。鍵の押鍵動作に応じて、ハンマによりゴムスイッチが押圧されると、可動接点がスイッチ基板のセンサに接触する。これにより、鍵の操作を検出し、検出した内容に応じた信号を出力する。
【０００３】
例えば、特許文献１に、押鍵動作に応じて回動する複数のハンマを支持するハンマ支持部と、回動するハンマで押圧される複数のスイッチを有する鍵スイッチが取り付けられるハンマーサポート（以下、フレームともいう）を有する鍵盤装置の構成が開示されている。フレームは、合成樹脂からなる射出成型品であり、鍵スイッチが有するスイッチ基板は、フレームの基板係止部と方形壁との間に、差し込まれた状態で係止されている。
【先行技術文献】
【特許文献】
【０００４】
【特許文献１】特開２０１３−１４５２７５号公報
【発明の概要】
【発明が解決しようとする課題】
【０００５】
上記の構成において、合成樹脂からなるフレームに、スイッチ基板が設けられることで、スイッチ基板によりフレームの前後方向に力が加わる。これにより、スイッチ基板の前後方向に対する位置決め精度が低下する。
【０００６】
上記問題に鑑み、本発明は、スイッチ基板の前後方向に対する位置決め精度が向上した鍵盤装置を提供することを目的の一つとする。
【課題を解決するための手段】
【０００７】
本発明の一実施形態に係る鍵盤装置は、フレームと、第１保持部と、第２保持部と、第１方向に延びた板状部材である第１リブと、を有し、第１保持部及び第２保持部の少なくとも一方は、第１リブの延長線上に配置される。
【０００８】
上記構成において、第１方向に延びた板状部材である第２リブと、第１方向と交差する第２方向に延びた第１部材と、をさらに有し、第１部材は、第１リブ及び第２リブを連結する。
【０００９】
上記構成において、フレームは、第１部材と対向する第２部材をさらに有する。
【００１０】
上記構成において、フレームは、第２部材に設けられた固定部をさらに有する。
【００１１】
上記構成において、フレームは、第１部材に設けられた可撓部と、可撓部に接続された係止部と、をさらに有する。
【００１２】
上記構成において、可撓部は、第１リブの延長上で重ならない位置に配置される。
【００１３】
上記構成において、第１リブは、第１保持部及び第２保持部の少なくとも一方と一体化される。
【００１４】
上記構成において、第１保持部は、第１リブの延長線上で、第２保持部と対向する。
【００１５】
上記構成において、第１保持部は、第２保持部と対となり、フレームは、対となる第１保持部及び第２保持部を複数有する。
【００１６】
上記構成において、フレームは、複数のハンマアセンブリをさらに有し、第１リブは、複数のハンマアセンブリのうち、第１ハンマアセンブリと第２ハンマアセンブリとの間に配置される。
【００１７】
上記構成において、第２リブは、複数のハンマアセンブリのうち、第３ハンマアセンブリと第４ハンマアセンブリとの間に配置される。
【発明の効果】
【００１８】
本発明によれば、スイッチ基板の前後方向に対する位置決め精度が向上した鍵盤装置を提供することができる。
【図面の簡単な説明】
【００１９】
【図１】本発明の一実施形態における鍵盤装置の構成を示す図である。
【図２】本発明の一実施形態における音源装置の構成を示すブロック図である。
【図３】本発明の一実施形態における筐体内部の構成を側面から見た場合の説明図である。
【図４】本発明の一実施形態における鍵盤アセンブリを上面から見た場合の説明図である。
【図５】本発明の一実施形態におけるフレームの詳細な構造を説明する斜視図である。
【図６】本発明の一実施形態におけるフレームを下面から見た場合の説明図である。
【図７】本発明の一実施形態におけるフレームの一部を拡大した図。
【図８】本発明の一実施形態におけるフレームの詳細な構造を説明する斜視図である。
【図９】図７において一点鎖線Ａ１−Ａ２線で切断したときの断面図である。
【図１０】図７において一点鎖線Ｂ１−Ｂ２線で切断したときの断面図である。
【図１１Ａ】図７において一点鎖線Ａ１−Ａ２線で切断したときの断面図である。
【図１１Ｂ】図７において一点鎖線Ｂ１−Ｂ２線で切断したときの断面図である。
【図１２Ａ】図７において一点鎖線Ａ１−Ａ２線で切断したときの断面図である。
【図１２Ｂ】図７において一点鎖線Ｂ１−Ｂ２線で切断したときの断面図である。
【図１３Ａ】図７において一点鎖線Ａ１−Ａ２線で切断したときの断面図である。
【図１３Ｂ】図７において一点鎖線Ｂ１−Ｂ２線で切断したときの断面図である。
【図１４Ａ】図７において一点鎖線Ａ１−Ａ２線で切断したときの断面図である。
【図１４Ｂ】図７において一点鎖線Ｂ１−Ｂ２線で切断したときの断面図である。
【発明を実施するための形態】
【００２０】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００２１】
＜第１実施形態＞
［鍵盤装置の構成］
図１は、本発明の一実施形態における鍵盤装置の構成を示す図である。鍵盤装置１は、この例では、電子ピアノなどユーザ（演奏者）の押鍵に応じて発音する電子鍵盤楽器である。なお、鍵盤装置１は、外部の音源装置を制御するための制御データ（例えば、ＭＩＤＩ）を、押鍵に応じて出力する鍵盤型のコントローラであってもよい。この場合には、鍵盤装置１は、音源装置を有していなくてもよい。
【００２２】
鍵盤装置１は、鍵盤アセンブリ１０を備える。鍵盤アセンブリ１０は、白鍵１００ｗおよび黒鍵１００ｂを含む。鍵盤アセンブリ１０には、複数の白鍵１００ｗと黒鍵１００ｂとが並んで配列されている。鍵１００の数は、Ｎ個であり、この例では８８個である。複数の白鍵１００ｗおよび黒鍵１００ｂが配列された方向をスケール方向という。白鍵１００ｗおよび黒鍵１００ｂを特に区別せずに説明できる場合には、鍵１００という場合がある。以下の説明においても、符号の最後に「ｗ」を付した場合には、白鍵に対応する構成であることを意味している。また、符号の最後に「ｂ」を付した場合には、黒鍵に対応する構成であることを意味している。
【００２３】
鍵盤アセンブリ１０の一部は、筐体９０の内部に存在している。換言すると、筐体９０は、白鍵１００ｗおよび黒鍵１００ｂの一部を覆う。鍵盤装置１を上方から見た場合において、鍵盤アセンブリ１０のうち筐体９０に覆われている部分を非外観部ＮＶといい、筐体９０から露出してユーザから視認できる部分を外観部ＰＶという。すなわち、外観部ＰＶは、鍵１００の一部であって、ユーザによって演奏操作が可能な領域を示す。以下、鍵１００のうち外観部ＰＶによって露出されている部分を鍵本体部という場合がある。
【００２４】
筐体９０内部には、音源装置７０およびスピーカ８０が配置されている。音源装置７０は、鍵１００の押下に伴って音波形信号を生成する。スピーカ８０は、音源装置７０において生成された音波形信号を外部の空間に出力する。なお、鍵盤装置１は、音量をコントロールするためのスライダ、音色を切り替えるためのスイッチ、様々な情報を表示するディスプレイなどが備えられていてもよい。
【００２５】
なお、本明細書における説明において、上、下、左、右、手前および奥などの方向は、演奏するときの演奏者から鍵盤装置１を見た場合の方向を示している。そのため、例えば、非外観部ＮＶは、外観部ＰＶよりも奥側に位置している、と表現することができる。また、鍵前端側（鍵前方側）、鍵後端側（鍵後方側）のように、鍵１００を基準として方向を示す場合もある。この場合、鍵前端側は鍵１００に対して演奏者から見た手前側を示す。鍵後端側は鍵１００に対して演奏者から見た奥側を示す。この定義によれば、黒鍵１００ｂのうち、黒鍵１００ｂの鍵本体部の前端から後端までが、白鍵１００ｗよりも上方に突出した部分である、と表現することができる。
【００２６】
図２は、本発明の一実施形態における音源装置の構成を示すブロック図である。音源装置７０は、信号変換部７１０、音源部７３０および出力部７５０を備える。センサ３００は、各鍵１００に対応して設けられ、鍵の操作を検出し、検出した内容に応じた信号を出力する。この例では、センサ３００は、３段階の押鍵量に応じて信号を出力する。この信号の間隔に応じて押鍵速度が検出可能である。
【００２７】
信号変換部７１０は、センサ３００（８８の鍵１００に対応したセンサ３００−１、３００−２、・・・、３００−８８）の出力信号を取得し、各鍵１００における操作状態に応じた操作信号を生成して出力する。この例では、操作信号はＭＩＤＩ形式の信号である。そのため、押鍵操作に応じて、信号変換部７１０はノートオンを出力する。このとき、８８個の鍵１００のいずれが操作されたかを示すキーナンバ、および押鍵速度に対応するベロシティについてもノートオンに対応付けて出力される。一方、離鍵操作に応じて、信号変換部７１０はキーナンバとノートオフとを対応付けて出力する。信号変換部７１０には、ペダル等の他の操作に応じた信号が入力され、操作信号に反映されてもよい。
【００２８】
音源部７３０は、信号変換部７１０から出力された操作信号に基づいて、音波形信号を生成する。出力部７５０は、音源部７３０によって生成された音波形信号を出力する。この音波形信号は、例えば、スピーカ８０または音波形信号出力端子などに出力される。
【００２９】
［鍵盤アセンブリの構成］
図３は、本発明の一実施形態における筐体内部の構成を側面から見た場合の説明図である。以下の説明では、白鍵１００ｗについて説明するが、説明の便宜上、単に鍵１００という。図３に示すように、筐体９０の内部において、鍵盤アセンブリ１０およびスピーカ８０が配置されている。スピーカ８０は、鍵盤アセンブリ１０の奥側に配置されている。このスピーカ８０は、押鍵に応じた音を筐体９０の上方および下方に向けて出力するように配置されている。下方に出力される音は、筐体９０の下面側から外部に進む。一方、上方に出力される音は筐体９０の内部から鍵盤アセンブリ１０の内部の空間を通過して、外観部ＰＶにおける鍵１００の隣接間の隙間または鍵１００と筐体９０との隙間から外部に進む。
【００３０】
鍵盤アセンブリ１０の構成について、図３を用いて説明する。鍵盤アセンブリ１０は、上述した鍵１００の他にも、接続部１８０、ハンマアセンブリ２００およびフレーム５００を含む。フレーム５００は、合成樹脂からなる成型射出品であり、筐体９０に固定されている。接続部１８０は、フレーム５００に対して回動可能に鍵１００を接続する。接続部１８０は、板状可撓性部材１８１、鍵側支持部１８３および棒状可撓性部材１８５を備える。板状可撓性部材１８１は、鍵１００の後端から鍵後端側に向かって延在している。鍵側支持部１８３は、板状可撓性部材１８１の後端から下方に向かって延在している。棒状可撓性部材１８５は、鍵側支持部１８３およびフレーム５００のフレーム側支持部５８５によって支持されている。すなわち、鍵１００とフレーム５００との間に、棒状可撓性部材１８５が配置されている。棒状可撓性部材１８５が曲がることによって、鍵１００がフレーム５００に対して回動することができる。棒状可撓性部材１８５は、鍵側支持部１８３とフレーム側支持部５８５とに対して、着脱可能に構成されている。鍵盤アセンブリ１０は、ほとんどの構成が射出成形などによって製造された樹脂製の構造体である。なお、棒状可撓性部材１８５は、鍵側支持部１８３とフレーム側支持部５８５と一体となって、または接着等により、着脱できない構成であってもよい。
【００３１】
鍵１００は、鍵ガイド１５１、鍵ガイド１５３、および側面鍵ガイド１５５を備える。換言すると、鍵ガイド１５１、鍵ガイド１５３、および側面鍵ガイド１５５は鍵１００に接続されている。フレーム５００は、フレームガイド５１１、フレームガイド５１３、および側面フレームガイド５１５を備える。換言すると、フレームガイド５１１、フレームガイド５１３、および側面フレームガイド５１５はフレーム５００に接続されている。鍵ガイド１５１はフレームガイド５１１と摺動する。鍵ガイド１５３はフレームガイド５１３と摺動する。側面鍵ガイド１５５は側面フレームガイド５１５と摺動する。
【００３２】
鍵ガイド１５１は、フレームガイド５１１を覆った状態で、フレームガイド５１１と摺動可能に接触している。換言すると、鍵ガイド１５１は、フレーム５００から上方および鍵前端側に延びたフレームガイド５１１に対して、スケール方向の両側から摺動可能に接触している。
【００３３】
鍵ガイド１５３は、フレームガイド５１３を覆った状態で、フレームガイド５１３と摺動可能に接触している。換言すると、鍵ガイド１５３は、フレーム５００から上方および鍵前端側に延びたフレームガイド５１３に対して、スケール方向の両側から摺動可能に接触している。なお、鍵ガイド１５３は鍵ガイド１５１よりも下方に配置されている。
【００３４】
側面鍵ガイド１５５は、側面フレームガイド５１５によって挟まれた状態で、側面フレームガイド５１５と摺動可能に接触している。換言すると、側面鍵ガイド１５５は、フレーム５００から上方に延びた側面フレームガイド５１５に対して、スケール方向の両側から摺動可能に接触している。
【００３５】
鍵ガイド１５１および鍵ガイド１５３は、筐体９０から露出された領域に配置されている。側面鍵ガイド１５５は、筐体９０によって覆われた領域に配置されている。つまり、鍵ガイド１５１および鍵ガイド１５３は外観部ＰＶに対応する位置に配置されている。側面鍵ガイド１５５は非外観部ＮＶに対応する領域に配置されている。側面鍵ガイド１５５は接続部１８０（板状可撓性部材１８１）よりも鍵前端側に存在する。ただし、側面鍵ガイド１５５が外観部ＰＶに対応する領域に配置されてもよい。
【００３６】
ハンマアセンブリ２００は、フレーム５００に対して回動可能に取り付けられている。このときハンマアセンブリ２００の軸支持部２２０とフレーム５００の回動軸５２０とは少なくとも３点で摺動可能に接触する。ハンマアセンブリ２００の前端部２１０は、ハンマ支持部１２０の内部空間において概ね前後方向に摺動可能に接触する。この摺動部分、すなわち前端部２１０とハンマ支持部１２０とが接触する部分は、外観部ＰＶ（鍵本体部の後端よりも鍵前端側）における鍵１００の下方に位置する。
【００３７】
ハンマアセンブリ２００は、回動軸よりも奥側において、金属製の錘部２３０を備えている。通常時（押鍵していないとき）には、錘部２３０が下側ストッパ４１０に載置された状態であり、ハンマアセンブリ２００の前端部２１０が、鍵１００を押し戻している。押鍵されると、錘部２３０が上方に移動し、上側ストッパ４３０に衝突する。ハンマアセンブリ２００は、この錘部２３０によって、押鍵に対して加重を与える。下側ストッパ４１０および上側ストッパ４３０は、緩衝材等（不織布、弾性体等）で形成されている。
【００３８】
フレーム５００には、板状部材である回路基板４００が設けられている。回路基板４００は、断面視において、筐体９０の載置面に対して平行となるように設けられている。回路基板４００には、鍵１００に対応するセンサ３００が設けられている。また、回路基板４００上には、ゴムスイッチ２１１が設けられている。ゴムスイッチ２１１は、各鍵１００に対応して設けられている。また、ゴムスイッチ２１１は、ゴムシートにドーム状の膨出部が形成されており、この膨出部内に可動接点が設けられている。この可動接点が、回路基板４００のセンサ３００に接触又は離れることが可能なように離間して対向している。鍵１００の押鍵動作に応じて、ハンマアセンブリ２００によって膨出部が押圧されたときに、膨出部が弾性変形して可動接点が回路基板４００のセンサ３００に接触する。これにより、図２に示す信号変換部７１０からノートオンが出力される。
【００３９】
なお、以下の説明においては、板状部材として回路基板４００を例にして説明するが、本発明はこれに限定されない。例えば、ゴムスイッチに接点がなく、反力発生のみをさせる部材の場合、当該部材を支えるために使用する板状部材も含む。また、板状部材は、フレームの一部を構成する部材であってもよいし、別の部材などであってもよい。また、板状部材は、プラスチックであってもよいし、金属であってもよい。
【００４０】
図４は、本発明の一実施形態における鍵盤アセンブリを上面から見た場合の説明図である。図４に示すように、黒鍵１００ｂの鍵側支持部１８３ｂは、白鍵１００ｗの鍵側支持部１８３ｗよりも鍵後端側に配置される。この位置は、鍵１００の回動中心となる棒状可撓性部材１８５ｗ、１８５ｂの位置に関連する。このような配置にすることによって、アコースティックピアノの白鍵と黒鍵の回動中心の違いを再現している。この例では、黒鍵１００ｂに対応する板状可撓性部材１８１ｂが、白鍵１００ｗに対応する板状可撓性部材１８１ｗよりも長い。このような配置に対応して、フレーム５００のフレーム側支持部５８５ｂは、フレーム側支持部５８５ｗよりも鍵後端側に配置される。そのため、フレーム５００の鍵後端側（フレーム側支持部５８５）の形状は、フレーム側支持部５８５ｂがフレーム側支持部５８５ｗよりも奥側に突出した形状となる。
【００４１】
なお、図４においては、鍵１００の下方に位置するハンマアセンブリ２００およびフレーム５００の構成は、その一部を省略して記載している。具体的には、接続部１８０近傍のフレーム５００の構成（フレーム側支持部５８５など）を記載し、手前側の構成等の一部については記載を省略している。他の説明においても、図示の際に一部の記載を省略することがある。
【００４２】
［フレームの構造］
図５は、本発明の一実施形態におけるフレームの詳細な構造を説明する斜視図である。図５は、フレーム５００の正面に向かって左上から見た場合の斜視図である。フレーム５００は、フレームガイド５１１、フレームガイド５１３、および側面フレームガイド５１５を備える。また、フレーム５００は、リブ５４０、壁部５４２、支柱５４４、リブ５５０、リブ５５１、壁部５５２、リブ５５３、および壁部５５４を備える。リブおよび壁部はともに板状部材である。また、リブは、第１方向に延びており、壁部は、第１方向と交差する第２方向に延びている。リブは、例えば、は鍵１００の長手方向に平行な方向に延びた板状部材であり、壁部は鍵１００の長手方向に交差する方向に延びた板状部材である。
【００４３】
複数のフレームガイド５１１および複数のフレームガイド５１３は、壁部５５４によって連結されている。フレームガイド５１１は、壁部５５４から上方に突出している。フレームガイド５１３は、壁部５５４から鍵前端側に突出している。フレームガイド５１１およびフレームガイド５１３は、白鍵１００ｗに対応して配置されている。ただし、フレームガイド５１１およびフレームガイド５１３は、黒鍵１００ｂに対応して配置されていてもよい。
【００４４】
側面フレームガイド５１５は、隣接する鍵１００の間に配置されている。白鍵１００ｗと黒鍵１００ｂとが隣接する位置（例えば、ＡとＢとの間）では、側面フレームガイド５１５は白鍵１００ｗおよび黒鍵１００ｂの両方に接する。白鍵１００ｗ同士が隣接する位置（例えば、ＢとＣとの間）では、側面フレームガイド５１５は白鍵１００ｗのみと接する。隣接する鍵１００の間に側面フレームガイド５１５が配置されていることで、非外観部ＮＶにおいて鍵１００がスケール方向に移動しても、隣接する鍵１００同士が接触することを抑制することができる。
【００４５】
リブ５４０は、隣接して配置されるハンマアセンブリ２００の間に設けられている。換言すると、リブ５４０によって区切られた空間に、ハンマアセンブリ２００が配置される。複数のリブ５４０は、壁部５４２によって連結されている。また、複数のリブ５４０は、支柱５４４によって連結されている。また、壁部５５２は、壁部５４２と平行する方向に延びた板状部材である。また、壁部５５２は、壁部５４２と対向する位置に設けられている。壁部５５２と壁部５４２とは、リブ５５０およびリブ５５１によって接続されている。また、壁部５５２は、壁部５５４に接続されている。
【００４６】
図６は、本発明の一実施形態におけるフレームの詳細な構造を説明する図である。図６では、フレーム５００を下から見た場合の平面図である。フレーム５００は、リブ５６５、リブ５６６、位置決め用凸部５６１をさらに備える。リブ５６５は、ハンマアセンブリの長手方向に平行な方向に延びた板状部材であり、リブ５６６は、ハンマアセンブリの長手方向に平行な方向に延びた板状部材である。また、壁部５４２は、リブ５６５及びリブ５６６と交差する方向に延びた板状部材である壁部５４２は、リブ５６５とリブ５６６とを連結している。なお、本明細書等においては、リブ５６５及びリブ５６６が第１方向に延びている例について示すが、本発明はこれに限定されない。リブ５６５とリブ５６６とが平行に延びていてもよいし、平行に延びていなくてもよい。
【００４７】
フレーム５００には、回路基板４００が設けられており、回路基板４００には、左右の位置決め用の凹部５６７が設けられている。また、壁部５５２に設けられた位置決め用凸部５６１は、回路基板４００の左右に対する位置決めをする機能を有する。具体的には、回路基板４００に設けられた凹部５６７を、位置決め用凸部５６１に嵌め込むことで、回路基板４００の左右に対する位置決めをすることができる。
【００４８】
リブ５６５は、隣接するハンマアセンブリの間に設けられており、リブ５６６は、隣接するハンマアセンブリの間に設けられている。また、リブ５６５及びリブ５６６は、壁部５４２によって連結されている。また、リブ５６５は、図５に示すリブ５５３の延長線上に配置されており、リブ５６６は、図５に示すリブ５５０の延長線上に配置されている。そして、壁部５４２は、リブ５６５とリブ５６６とを連結している。
【００４９】
次に、図７に、図６に示すフレーム５００の一部５１０を拡大した図を示す。フレーム５００は、保持部５５５、保持部５５６、及びリブ５６５を有する。フレーム５００は、また、保持部５５５及び保持部５５６の少なくとも一方は、リブ５６５の延長線上に配置される。さらに、固定部５５７、可撓部５５８、及び係止部５５９を有する。保持部５５５は、壁部５４２に設けられており、保持部５５６は、壁部５５２に設けられている。また、壁部５４２に可撓部５５８が設けられており、可撓部５５８に係止部５５９が接続されている。また、壁部５５２に、固定部５５７が設けられている。回路基板４００は、保持部５５５と保持部５５６とによって、フレーム５００の前後方向に固定されている。また、固定部５５７と係止部５５９とによって、回路基板４００が下方へ移動することを規制している。
【００５０】
図７において、可撓部５５８が壁部５４２に設けられている例について示すが、本発明はこれに限定されない。可撓部５５８が設けられる部材は、壁状のものでなくてもよい。例えば、可撓部５５８は、リブ５４０から可撓部５５８を延ばして設けることもできる。
【００５１】
また、図７において、固定部５５７が、壁部５５２に設けられている例について示すが、本発明はこれに限定されない。固定部５５７が設けられる部材は、壁状のものでなくてもよい。例えば、固定部５５７は、図３に示す部材５７３に設けることもできる。
【００５２】
また、図７において、保持部５５５及び保持部５５６の少なくとも一方は、リブ５６５と一体化されている。また、保持部５５５は、リブ５６５の延長線上に配置されており、保持部５５６は、リブ５６５の延長線上で、かつ保持部５５５に対向する位置に配置されている。図７においては、保持部５５６がリブ５６５の延長線上で、保持部５５５と対向する場合について示しているが、本発明はこれに限定されない。保持部５５５及び保持部５５６の少なくとも一方が、リブ５６５の延長線上に配置されていればよい。保持部５５５及び保持部５５６の少なくとも一方が、リブ５６５の延長線上に配置されることにより、回路基板４００を嵌め込んだ後に、回路基板４００の前後方向に対する位置決めを向上させることができる。
【００５３】
また、可撓部５５８は、リブ５６５の延長線上で重ならない位置に配置されている。そして、固定部５５７は、リブ５６５の延長線上で重ならない位置に配置されている。可撓部５５８は、壁部５４２に設けられており、係止部５５９は、可撓部５５８に接続されている。そして、固定部５５７は、壁部５５２に設けられており、固定部５５７は、リブ５６５の延長線上で重ならない位置に配置されている。
【００５４】
図８に、フレーム５００を左下から見た場合の斜視図を示す。フレーム５００は、対となる保持部５５５及び保持部５５６を複数有している。図８においては、保持部５５５と保持部５５６が対になっており、保持部５６２と保持部５６３とが対になっている。
【００５５】
また、図８において、保持部５６２及び保持部５６３の少なくとも一方は、リブ５６６と一体化されている。また、保持部５６２は、リブ５６６の延長線上に配置されており、保持部５６３は、リブ５６６の延長線上で、かつ保持部５６２に対向する位置に配置されている。保持部５５５及び保持部５５６と同様に、保持部５６２及び保持部５６３の少なくとも一方が、リブ５６６の延長線上に配置されていればよい。保持部５６２及び保持部５６３の少なくとも一方が、リブ５６６の延長線上に配置されることにより、回路基板４００を嵌め込んだ後に、回路基板４００の前後方向に対して位置決め精度を向上させることができる。
【００５６】
図９に、図７における一点鎖線Ａ１−Ａ２線で切断したときの断面図を示す。図９において、鍵盤アセンブリ１０（図示せず）は上方に配置される。図９では、Ａ１側が鍵盤アセンブリ１０の前側になり、Ａ２側が鍵盤アセンブリ１０の後側になる。壁部５４２には、可撓部５５８が設けられており、可撓部５５８には係止部５５９が接続されている。また、可撓部５５８は、壁部５５２に向かってわずかに傾斜している。本実施形態では、壁部５４２、可撓部５５８、及び係止部５５９は、フレーム５００として、一体で形成される場合について説明するが、本発明はこれに限定されない。可撓部５５８及び係止部５５９をそれぞれ別の材料で形成し、壁部５４２に接着してもよい。
【００５７】
壁部５５２には、突起状の固定部５５７が設けられている。図９においては、固定部５５７が、可撓部５５８及び係止部５５９に対向する位置に配置されている場合について説明するが、本発明はこれに限定されない。固定部５５７が、可撓部５５８及び係止部５５９と対向しない位置に配置されていてもよい。
【００５８】
固定部５５７及び係止部５５９上に、回路基板４００が設けられている。つまり、固定部５５７及び係止部５５９は、回路基板４００が下方へ移動することを規制している。
【００５９】
回路基板４００上には、ゴムスイッチ２１１が設けられている。ゴムスイッチ２１１は、各鍵１００に対応して設けられている。また、ゴムスイッチ２１１は、ゴムシート２２３にドーム状の膨出部２２２が形成されており、この膨出部２２２内に可動接点が設けられている。この可動接点が、回路基板４００のセンサ３００（図示せず）に接触又は離れることが可能なように離間して対向している。鍵１００の押鍵動作に応じて、ハンマアセンブリ２００によって膨出部２２２が押圧されたときに、膨出部２２２が弾性変形して可動接点がセンサ３００に接触する。これにより、図２に示す信号変換部７１０からノートオンが出力される。
【００６０】
図１０に、図７における一点鎖線Ｂ１−Ｂ２線で切断したときの断面図を示す。図１０において、鍵盤アセンブリ１０は上方に配置される。図１０では、Ｂ１側が鍵盤アセンブリ１０の前側になり、Ｂ２側が鍵盤アセンブリ１０の後側になる。壁部５４２と壁部５５２とは、リブ５５０によって連結されている。また、壁部５４２には、保持部５５５が設けられ、壁部５５２には保持部５５６が設けられている。そして、保持部５５５は、壁部５５２に向かう傾斜を有し、保持部５５６は、壁部５４２に向かう傾斜を有する。本実施形態では、壁部５４２と保持部５５５とが一体で形成され、壁部５５２と保持部５５６とが一体で形成される場合について説明するが、本発明はこれに限定されない。保持部５５５及び保持部５５６を、壁部５４２及び壁部５５２と別の材料で形成し、保持部５５５を壁部５４２に、保持部５５６を壁部５５２にそれぞれ接着してもよい。
【００６１】
フレーム５００の断面視において、保持部５５５と保持部５５６との長さは、回路基板４００の幅と略同一である。よって、回路基板４００は、保持部５５５と保持部５５６との間で保持される。つまり、保持部５５５と保持部５５６は、回路基板４００を、フレーム５００の前後方向に対して固定している。また、回路基板４００の上面は、ゴムシート２２３と接している。ゴムシート２２３は、回路基板４００の上方への移動を規制している。ゴムシート２２３は、回路基板４００とリブ５５０とによって固定されている。
【００６２】
次に、回路基板４００を、フレーム５００に嵌め込む方法について、図６、図１１Ａ乃至図１４Ｂを参照して説明する。図１１Ａ、図１２Ａ、図１３Ａ、及び図１４Ａに、図６におけるＡ１−Ａ２線に沿った断面図を示す。また、図１１Ｂ、図１２Ｂ、図１３Ｂ、及び図１４Ｂに、図６におけるＢ１−Ｂ２線に沿った断面図を示す。
【００６３】
まず、図６に示すフレーム５００に設けられた位置決め用凸部５６１に、回路基板４００の凹部５６７を嵌め込むことで、回路基板４００の左右に対する位置決めを行う。
【００６４】
図１１Ａに示すように、回路基板４００の一方の端部５６８を、壁部５５２に設けられた固定部５５７に差し込む。そして、図１１Ｂに示すように、回路基板４００の一方の端部５６８を保持部５５６に斜め下から突き当てる。次に、図１１Ａ及び図１１Ｂに示すように、回路基板４００の他方の端部５６９を、下からリブ５５０に向かって、回路基板４００の一方の端部５６８の点を軸として回転させて、回路基板４００の他方の端部５６９をリブ５５０に向かって押し上げる。
【００６５】
次に、図１２Ａに示すように、回路基板４００の他方の端部５６９は、係止部５５９の傾斜面に突き当たる。回路基板４００の他方の端部５６９を係止部５５９の傾斜面に突き当てたまま、リブ５５０に向かって押し上げると、回路基板４００の他方の端部５６９によって、係止部５５９の傾斜面には矢印の方向に力が加わる。さらに回路基板４００の他方の端部５６９をリブ５５０に向かって押し上げると、係止部５５９に接続された可撓部５５８が、壁部５４２側に向かって撓む。また、図１２Ｂに示すように、回路基板４００が回転するにつれて、回路基板４００の一方の端部５６８は、保持部５５６の傾斜面を矢印の向きに滑ってずれていく。同時に、回路基板４００の他方の端部５６９は、矢印の向きに移動する。
【００６６】
図１３Ａに示すように、回路基板４００の他方の端部５６９を、係止部５５９の傾斜面に突き当てたまま、リブ５５０に向かって押し上げる。すると、回路基板４００が、ゴムシート２２３の端部に接する。ゴムシート２２３の端部を支点５６０として、回路基板４００をさらに、リブ５５０に向かって押し上げる。また、図１３Ｂでは、回路基板４００の一方の端部５６８は、さらに保持部５５６の傾斜面を矢印の向きに滑ってずれていく。同時に、回路基板４００の他方の端部５６９は、矢印の向きに移動する。
【００６７】
図１４Ａに示すように、さらに、リブ５５０に向かって押し上げて、回路基板４００が係止部５５９を超えると、壁部５４２側に撓んでいた可撓部５５８が復元して、壁部５５２側に戻る。回路基板４００の下に、係止部５５９が入り込むことで、回路基板４００は、係止部５５９によって固定される。また、回路基板４００の下に、係止部５５９が入り込むことで、回路基板４００が下方へ移動することを規制できる。また、図１４Ｂに示すように、回路基板４００を、保持部５５５と保持部５５６との間で保持することができる。これにより、回路基板４００を、鍵１００の前後方向に固定することができる。
【００６８】
本実施形態では、リブ５６５の延長線上に保持部５５５が設けられている。また、リブ５６６の延長線上に保持部５５６が設けられている。さらに、壁部５４２は、リブ５６５とリブ５６６とを連結している。これにより、フレーム５００の後方向に対する壁部５４２の剛性を向上させることができる。
【００６９】
本発明に係る鍵盤装置は、保持部５５５及び保持部５５６の少なくとも一方が、リブ５６５の延長線上に配置されることにより、回路基板４００を嵌め込んだ後に、回路基板４００の前後方向に対して位置決め精度を向上させることができる。
【００７０】
なお、本発明は上記の実施形態に限られたものではなく、趣旨を逸脱しない範囲で適宜変更することが可能である。
【００７１】
なお、本実施形態ではフレームに嵌め込まれる部材として板状の回路基板４００を示したが、当該部材は板状でなくてもよい。フレームに嵌め込まれる部材は、直方体などの剛体であればよい。フレームに嵌め込まれる部材は、保持部５５５とフレームに嵌め込まれる部材との接触部と、保持部５５６とフレームに嵌め込まれる部材との接触部との間に亘って（接触部同士を結んだ直線上において）、中実（ｓｏｌｉｄ）であることが好ましい。また、保持部５５５及び保持部５５６が突出部を有する代わりに、フレームに嵌め込まれる部材が突出部を有していてもよい。又は、第１部材、保持部５５５、及び保持部５５６が突出部を有していなくてもよい。
【符号の説明】
【００７２】
１：鍵盤装置、  １０：鍵盤アセンブリ、  ５１：ガイド、  ５３：ガイド、  ５５：ガイド、  ７０：音源装置、  ８０：スピーカ、  ９０：筐体、  １００：鍵、  １００ｂ：黒鍵、  １００ｗ：白鍵、  １０２：下端、  １２０：ハンマ支持部、  １５０：凹部、  １５１：鍵ガイド、  １５３：鍵ガイド、  １５５：側面鍵ガイド、  １５７：段差部、  １８０：接続部、  １８１：板状可撓性部材、  １８３：鍵側支持部、  １８５：棒状可撓性部材、  ２００：ハンマアセンブリ、  ２１０：前端部、  ２１１：ゴムスイッチ、  ２２０：軸支持部、  ２３０：錘部、  ３００：センサ、  ４１０：下側ストッパ、  ４３０：上側ストッパ、  ５００：フレーム、  ５１１：フレームガイド、  ５１２Ｂ：上端、  ５１３：フレームガイド、  ５１５：側面フレームガイド、  ５２０：回動軸、  ５２１：先端フレームガイド、  ５４０：リブ、  ５４２：壁部、  ５４４：支柱、  ５５０：リブ、  ５５１：リブ、  ５５２：壁部、  ５５３：リブ、  ５５４：壁部、  ５５５：保持部、  ５５６：保持部、  ５５７：固定部、  ５５８：可撓部、  ５５９：係止部、  ５６１：位置決め用凸部、  ５６２：保持部、  ５６３：保持部、  ５６４：支持部材、  ５６５：リブ、  ５６６：リブ、  ５６７：凹部、  ５６８：一方の端部、  ５６９：他方の端部、  ５８５：フレーム側支持部、  ６００、８００Ｆ：摺動部材、  ６１０：本体部、  ６１２：一側端、  ６２０：突起、  ６３０：ストッパ、  ６４０：ストッパ、  ６４２：開口部、  ６４４：係止部、  ６５０：緩衝部、  ６５２：当接部、  ７１０：信号変換部、  ７３０：音源部、  ７５０：出力部、  ８２０Ｆ：突起、  ＮＶ：非外観部、  ＰＶ：外観部
【図１】
2018180527.tif 000003
【図２】
2018180527.tif 000004
【図３】
2018180527.tif 000005
【図４】
2018180527.tif 000006
【図５】
2018180527.tif 000007
【図６】
2018180527.tif 000008
【図７】
2018180527.tif 000009
【図８】
2018180527.tif 000010
【図９】
2018180527.tif 000011
【図１０】
2018180527.tif 000012
【図１１Ａ】
2018180527.tif 000013
【図１１Ｂ】
2018180527.tif 000014
【図１２Ａ】
2018180527.tif 000015
【図１２Ｂ】
2018180527.tif 000016
【図１３Ａ】
2018180527.tif 000017
【図１３Ｂ】
2018180527.tif 000018
【図１４Ａ】
2018180527.tif 000019
【図１４Ｂ】
2018180527.tif 000020